(57)【要約】【課題】この発明波利用者の身体の重たい部分などを柔らかな感触を与えて確実に支持することができるようにしたマットレス装置を提供することにある。【解決手段】弾性材料によって板状に形成されたマットレス本体５と、マットレス本体の上面に開放して形成され内側面がマットレス本体の上面に向かって外方に傾斜した第１の傾斜面６ａ〜８ａに形成された収容部６〜８と、マットレス本体よりも柔らかな弾性材料によって収容部と対応する形状で、外側面が第１の傾斜面と対応する第２の傾斜面１１ａ〜１３ａに形成されていて、第２の傾斜面を第１の傾斜面に接触させて収容部に収容されるパッド１１〜１３を具備する。【選択図】      図２
2010125049.tif 000002
【特許請求の範囲】
【請求項１】
弾性材料によって板状に形成されたマットレス本体と、
このマットレス本体の上面に開放して形成され内側面が上記マットレス本体の上面に向かって外方に傾斜した第１の傾斜面に形成された収容部と、
上記マットレス本体よりも柔らかな弾性材料によって上記収容部と対応する形状で、外側面が上記第１の傾斜面と対応する第２の傾斜面に形成されていて、この第２の傾斜面を上記第１の傾斜面に接触させて上記収容部に収容されるパッドと
を具備したことを特徴とするマットレス装置。
【請求項２】
上記収容部は、上記マットレス本体の長手方向の一端部の幅方向両端部で、上記マットレス本体上で利用者が横臥したときにその利用者の肩を支持する部分に形成されていることを特徴とする請求項１記載のマットレス装置。
【請求項３】
上記収容部は、上記マットレス本体の長手方向の他端部で、上記マットレス本体上で利用者が仰臥したときにその利用者の足部の踵を支持する部分に形成されていることを特徴とする請求項１記載のマットレス装置。
【請求項４】
上記収容部は、上記マットレス本体の長手方向の中途部で、上記マットレス本体上で利用者が仰臥したときにその利用者の臀部を支持する部分に形成されていることを特徴とする請求項１記載のマットレス装置。
【請求項５】
上記パッドには厚さ方向に貫通する通気孔が形成されていることを特徴とする請求項１記載のマットレス装置。
【請求項６】
上記パッドの上面には縦横に交差する通気溝が形成されていることを特徴とする請求項１記載のマットレス装置。
【請求項７】
上記マットレス本体はベース部材と、このベース部材よりも柔らかで上記パッドよりも硬い弾性材料によって形成されて上記ベース部材の上面に設けられた上部シート部材との二層構造となっていて、
上記収容部は上記上部シート部材に形成されていることを特徴とする請求項１記載のマットレス装置。
【請求項８】
弾性材料によって板状に形成されたマットレス本体と、
このマットレス本体の上面に開放して形成され内面が上記マットレス本体の上面に向かって外方に傾斜した凹曲面に形成された収容部と、
上記マットレス本体よりも柔らかな弾性材料によって上記収容部と対応する形状で、外面が上記凹曲面と対応する凸曲面に形成されていて、この凸曲面を上記凹曲面に接触させて上記収容部に収容されるパッドと
を具備したことを特徴とするマットレス装置。
【発明の詳細な説明】
【技術分野】
【０００１】
この発明は利用者が就寝したときに身体のたとえば重たい部分などが圧迫され難いマットレス装置に関する。
【背景技術】
【０００２】
一般に、マットレス装置は弾性材料によって平板状に形成されたマットレス本体と、このマットレス本体を被覆した外装体によって形成される。上記マットレス本体としてはウレタンフォームなどの海綿状の合成樹脂が用いられることが多い。
【０００３】
その場合、マットレス本体が柔らか過ぎると仰臥した利用者の身体の重たい部分、たとえば臀部などが大きく落ち込むため、背筋の伸びた寝姿勢が維持できずに、寝心地が低下するということがある。
【０００４】
そこで、利用者が仰臥したときに、利用者の臀部などの重たい部分が大きく落ち込むことがないようにするため、上記マットレス本体にある程度の硬さを持たせるようにしている。
【０００５】
しかしながら、マットレス本体を硬くすると、利用者が病人などのように長期間にわたって仰臥している場合、利用者の身体の重たい部分が強く圧迫され続けることになるから、その部分に床ずれが生じるということがある。さらには、利用者が横臥して就寝するような場合、肩の部分が下方に大きく突出することになるから、その肩の部分の圧迫度合が強くなり、疲れが生じるなどのことがある。
【０００６】
そこで、マットレス本体の利用者の身体の重たい臀部などに対応する部分、或いは利用者が横臥したときに圧迫される肩に対応する部分に凹状の切取り部を設け、この切取り部に、マットレス本体を構成する弾性材よりも柔らかな弾性材からなるパッドを設ける。
【０００７】
それによって、利用者の身体の重たい部分や肩などの部分が上記パッドによって支持されるから、身体の重たい部分に床ずれが生じたり、肩などが強く圧迫され過ぎるのを防止するようにしたマットレス装置が知られている。このようなマットレス装置は特許文献１に示されている。
【特許文献１】特公昭４８−３０５８５号公報
【発明の開示】
【発明が解決しようとする課題】
【０００８】
ところで、特許文献１に示されたマットレス装置においては、マットレス本体に形成される切取り部の内側面が垂直に形成され、この切取り部に設けられるパッドの外側面も上記切取り部の内側面に対応する垂直面に形成されている。
【０００９】
切取り部の内側面とパッドの外側面をそれぞれ垂直面に形成すると、利用者が感じるマットレス本体とパッドの硬さの変化は、上記切取り部とパッドが接触する互いの垂直面を境として大きく変化することになる。
【００１０】
そのため、たとえば利用者が寝返りを打ったり、身体の一部が切取り部とパッドの境界に位置しているような場合、利用者はマットレス本体とパッドの硬さの違いを強く感じることになるから、快適性が損なわれるということがある。
【００１１】
この発明は、マットレス本体に、このマットレス本体よりも柔らかなパッドを設けた場合、マットレス本体とパッドとの境界部分に柔らかさが急激に変化するのを防止して快適性を向上させたマットレス装置を提供することにある。
【課題を解決するための手段】
【００１２】
この発明は、弾性材料によって板状に形成されたマットレス本体と、
このマットレス本体の上面に開放して形成され内側面が上記マットレス本体の上面に向かって外方に傾斜した第１の傾斜面に形成された収容部と、
上記マットレス本体よりも柔らかな弾性材料によって上記収容部と対応する形状で、外側面が上記第１の傾斜面と対応する第２の傾斜面に形成されていて、この第２の傾斜面を上記第１の傾斜面に接触させて上記収容部に収容されるパッドと
を具備したことを特徴とするマットレス装置にある。
【００１３】
上記収容部は、上記マットレス本体の長手方向の一端部の幅方向両端部で、上記マットレス本体上で利用者が横臥したときにその利用者の肩を支持する部分に形成されていることが好ましい。
【００１４】
上記収容部は、上記マットレス本体の長手方向の他端部で、上記マットレス本体上で利用者が仰臥したときにその利用者の足部の踵を支持する部分に形成されていることが好ましい。
【００１５】
上記収容部は、上記マットレス本体の長手方向の中途部で、上記マットレス本体上で利用者が仰臥したときにその利用者の臀部を支持する部分に形成されていることが好ましい。
【００１６】
上記パッドには厚さ方向に貫通する通気孔が形成されていることが好ましい。
【００１７】
上記パッドの上面には縦横に交差する通気溝が形成されていることが好ましい。
【００１８】
上記マットレス本体はベース部材と、このベース部材よりも柔らかで上記パッドよりも硬い弾性材料によって形成されて上記ベース部材の上面に設けられた上部シート部材との二層構造となっていて、
上記収容部は上記上部シート部材に形成されていることが好ましい。
【００１９】
この発明は、弾性材料によって板状に形成されたマットレス本体と、
このマットレス本体の上面に開放して形成され内面が上記マットレス本体の上面に向かって外方に傾斜した凹曲面に形成された収容部と、
上記マットレス本体よりも柔らかな弾性材料によって上記収容部と対応する形状で、外面が上記凹曲面と対応する凸曲面に形成されていて、この凸曲面を上記凹曲面に接触させて上記収容部に収容されるパッドと
を具備したことを特徴とするマットレス装置にある。
【発明の効果】
【００２０】
この発明によれば、マットレス本体に形成された収容部と、この収容部に設けられたパッドの境界が垂直面でなく、テーパ面或いは曲面で接触させるため、垂直面で接触させる場合に比べて接触範囲が水平方向に対して拡大されるから、境界部分での硬さの変化が緩やかになる。
【００２１】
それによって、マットレス本体とパッドの境界部分において、マットレス本体とパッドの硬さの違いにより利用者に与える感触が極端に変化することがなくなるから、利用者に不快感触を与えるのを防止できる。
【発明を実施するための最良の形態】
【００２２】
以下、この発明の実施の形態を図面を参照しながら説明する。  
図１乃至図５はこの発明の第１の実施の形態を示し、図１に示すマットレス装置１は袋状に縫製された外装体２を備えている。この外装体２の外周面にはファスナ３が周方向の少なくとの３方向にわたって設けられている。それによって、外装体２は開閉可能な構造になっている。
【００２３】
上記外装体２の内部にはマットレス本体５が収容されている。このマットレス本体５は硬質発泡ウレタンなどの比較的硬質な弾性材料によって平板状に形成されている。上記マットレス本体５には、図２と図３に示すように利用者Ｕ（図５（ａ）に示す）がマットレス装置１上に仰臥したとき、その利用者Ｕの両方の肩Ｓの部分に対応する一対の第１の収容部６が上記マットレス本体５の長手方向の一端部の幅方向両端部に形成されている。
【００２４】
さらに、マットレス本体５の利用者Ｕの足の踵Ｈ１に対応する長手方向の他端部には第２の収容部７が形成され、マットレス本体５の長手方向の中途部の利用者Ｕの臀部Ｈ２に対応する部分には第３の収容部８が形成されている。
【００２５】
上記第１乃至第３の収容部６〜８はマットレス本体５の厚さ方向に貫通し、しかもそれぞれの内側面はマットレス本体５の下面から上面に向かって水平方向外方に傾斜した第１の傾斜面６ａ，７ａ，８ａに形成されている。第１の傾斜面６ａ，７ａ，８ａの傾斜角度は水平面に対して３０〜６０度の範囲にすることが好ましく、この実施の形態では４５度に設定されている。
【００２６】
なお、一対の第１の収容部６の上記マットレス本体５の幅方向両側に位置する一側は開放し、上記第２の収容部７の上記マットレス本体５の長手方向他端に位置する一側は開放している。
【００２７】
なお、上記第１の収容部６の３辺の傾斜面６ａのうち、マットレス本体５の幅方向内方に長手方向に沿って位置する傾斜面６ａは上記マットレス本体５の幅方向外方から内方に向かって傾斜している。
【００２８】
図２に示すように、上記第１乃至第３の収容部６〜８には、それぞれ第１乃至第３のパッド１１〜１３が収容される。これらパッド１１〜１３は上記マットレス本体５を形成した弾性材料よりも、たとえば３０〜５０％程度柔らかな弾性材料、たとえば軟質ウレタンフォームなどによって上記マットレス本体５と同じ厚さで形成されている。
【００２９】
なお、弾性材料の柔らかさは、荷重と圧縮変形量との関係によって決定される。したがって、パッド１１〜１３がマットレス本体５に対して５０パーセント柔らかければ、パッド１１〜１３とマットレス本体５に同じ荷重が加わると、パッド１１〜１３の圧縮変形量がマットレス本体５の圧縮変形量の２倍になる。
【００３０】
さらに、各パッド１１〜１３の外周面は、図４に示すように上記第１乃至第３の収容部６〜８の第１の傾斜面６ａ，７ａ，８ａに対応する角度、つまり第１の傾斜面６ａ，７ａ，８ａと同じ傾斜角度で傾斜方向が逆向きとなった第２の傾斜面１１ａ，１２ａ，１３ａに形成されている。
【００３１】
それによって、上記第１乃至第３の収容部６〜８に上記第１乃至第３のパッド１１〜１３を収容すると、各収容部６〜８の第１の傾斜面６ａ，７ａ，８ａに各パッド１１〜１３の第２の傾斜面１１ａ，１２ａ，１３ａが接触することになる。
【００３２】
図４は第１の傾斜面６ａ，７ａ，８ａと第２の傾斜面１１ａ，１２ａ，１３ａとの接触部分を拡大して示している。第１、第２の傾斜面は４５度の角度で傾斜している。そのため、これら傾斜面は同図にＢで示すように水平方向に対して所定の長さで接触している。マットレス本体５と各パッド１１〜１３の傾斜面の傾斜角度が４５であれば、上記接触長さＢはマットレス本体５の厚さ寸法と同じ長さとなる。  
さらに、上記各パッド１１〜１３には、図２に示すように厚さ方向に貫通した複数の通気孔１１ｂ〜１３ｂが行列状に形成されている。
【００３３】
このような構成によれば、利用者Ｕがマットレス装置１の上面に仰臥すると、その利用者Ｕの足の踵Ｈ１の部分はマットレス本体５の第２の収容部７に設けられた第２のパッド１２によって支持され、臀部Ｈは第３の収容部８に設けられた第３のパッド１３によって支持される。
【００３４】
上記第２、第３のパッド１２，１３はマットレス本体５よりも柔らかな弾性材料によって形成されている。そのため、利用者Ｕの踵Ｈ１や臀部Ｈ２はマットレス本体５に支持される場合に比べて圧迫度合が小さいから、利用者Ｕが長期間にわたって横臥しているような場合であっても、踵Ｈ１や臀部Ｈ２に床ずれが生じ難くなる。
【００３５】
しかも、上記第２、第３のパッド１２，１３には厚さ方向に貫通した通気孔１２ｂ，１３ｂが形成されている。そのため、通気孔１２ｂ，１３ｂの通気性によって第２、第３のパッド１２，１３が支持した利用者Ｕの踵Ｈ１や臀部Ｈ２などにむれが生じ難いから、そのことによっても床ずれが生じ難くなる。
【００３６】
上記第２、第３のパッド１２，１３を収容した第２、第３の収容部７，８の内側面は３０度の角度で傾斜した第１の傾斜面７ａ，８ａに形成され、これら収容部７，８に収容された上記第２、第３のパッド１２，１３の外側面は第１の傾斜面７ａ，８ａと対応する角度の第２の傾斜面１２ａ，１３ａに形成されている。そして、第１の傾斜面７ａ，８ａと第２の傾斜面１２ａ１３ａは接触している。
【００３７】
そのため、利用者Ｕが寝返りを打ったり、身体を動かすなどして踵Ｈ１や臀部Ｈ２の位置が第２、第３のパッド１２，１３の上面からマットレス本体５の上面へ移行する際、踵Ｈ１や臀部Ｈ２は第２の傾斜面１２ａ，１３ａと第１の傾斜面７ａ，８ａとが接触した境界部分Ｂの硬さを感じながら、マットレス本体５の上面の硬さを感じることになる。
【００３８】
第２の傾斜面１２ａ，１３ａと第１の傾斜面７ａ，８ａとが接触した境界部分Ｂは、第２、第３のパッド１２，１３の厚さが徐々に薄くなっているから、その厚さの変化に応じて上記境界部分の柔らかさも徐々に硬くなってゆく。
【００３９】
そのため、利用者Ｕは第２、第３のパッド１２，１３の柔らかさを感じた状態から、第２の傾斜面１２ａ，１３ａと第１の傾斜面７ａ，８ａとが接触した硬さが徐々に変化する境界部分Ｂを経てマットレス本体５の硬さを感じることになる。
【００４０】
したがって、利用者Ｕが身体を移行させたときなど、柔らかな第２、第３のパッド１２，１３に支持された踵Ｈ１や臀部Ｈ２は第２、第３のパッド１２，１３に比べて硬いマットレス本体５に直ちに接触するのが防止されるから、急激な感触の変化によって利用者Ｕが不快感を覚えることがない。
【００４１】
第１の収容部６に設けられた第１のパッド１１の部分は利用者Ｕの肩Ｓの部分が支持されている。そのため、利用者Ｕは肩Ｓの部分にも第１のパッド１１とマットレス本体５との境界部分の緩やかな硬さの変化を感じ、急激な硬さの変化による不快感を覚えることがない。
【００４２】
しかも、第１の収容部６のマットレス本体５の幅方向内方に長手方向に沿って位置する傾斜面６ａは上記マットレス本体５の幅方向外方から内方に向かって傾斜している。そのため、一対の第１の収容部に６に設けられた第１のパッド１１を、上記傾斜面６ａによってマットレス本体５の幅方向に対して広い範囲で設けることが可能となる。それによって、利用者Ｕの肩Ｓの部分を幅方向に広い範囲で柔らかな第１のパッド１１によって支持することができる。
【００４３】
一方、マットレス装置１に仰臥した利用者Ｕが寝姿勢を図５（ａ）に示す上向きの状態から、図５(ｂ)に示す横向きに変えた場合、利用者Ｕの一方の肩Ｓの部分は下方へ大きく突出して一対の第１の収容部６の一方に設けられた第１のパッド１１によって支持される。
【００４４】
利用者Ｕの肩Ｓの部分を支持した第１のパッド１１は、マットレス本体５に比べて柔らかいから、肩Ｓの部分の突出に応じて大きく圧縮変形して肩Ｓの部分を支持することになる。それによって、利用者Ｕの肩Ｓの部分が第１のパッド１１によって強く圧迫されることがないから、利用者Ｕが早期に疲れを感じるのを防止することができる。
【００４５】
図６と図７はこの発明の第２の実施の形態を示し、図５はマットレス本体５の一部分の平面図、図７は縦断面図である。つまり、この実施の形態では、マットレス本体５の長手方向一端部の幅方向両端部に、平面形状が円形で、断面形状が凹曲面、この場合は凹球面の第１の収容部６Ａが形成されている。
【００４６】
上記第１の収容部６Ａに設けられる第１のパッド１１Ａは、上記第１の収容部６Ａと同様平面形状が円形で、断面形状が凹球面と対応する凸曲面となっている。なお、第１のパッド１１Ａは第１の実施の形態と同様、マットレス本体５に比べて柔らかな弾性材料によって形成されている。
【００４７】
上記第１の収容部６Ａの凹球面は中心部から周辺部にゆくにつれて次第に深さ寸法が浅くなっている。そのため、第１の収容部６Ａに、この第１の収容部６Ａと対応する凸曲面の第１のパッド１１Ａを収容すれば、第１の収容部６Ａの深さの変化、つまり第１のパッド１１Ａの厚さの変化に応じて中心部から周辺部に行くにつれて徐々に硬くなる。
【００４８】
そのため、利用者は第１の収容部６Ａに設けられた第１のパッド１１Ａと、マットレス本体５との硬さの差による急激な変化を感じることのない、比較的良好な感触を得ることができる。
【００４９】
しかも、第１のパッド１１Ａの柔らかさによって利用者Ｕが寝姿勢を仰臥状態から横臥状態に変えたときには、利用者の肩Ｓの部分の突出に応じて圧縮変形するから、その肩Ｓの部分を必要以上に強く圧迫するのを防止できる。
【００５０】
なお、この第２の実施の形態に示された第１の収容部６Ａ及び第１のパッド１１Ａの形状は、第２、第３の収容部７，８及び第２、第３のパッド１２，１３に適用しても差し支えない。
【００５１】
図８はこの発明の第３の実施の形態を示す。この実施の形態のマットレス本体５は、ベース部材５ａと、このベース部材５ａの上面に積層された上部シート部材５ｂとの二層構造になっている。
【００５２】
上記ベース部材５ａと上部シート部材５ｂはともに弾性材料によって形成されている。この実施の形態では上部シート部材５ｂがベース部材５ａよりも柔らかな弾性材料によって形成されている。なお、ベース部材５ａに対して上部シート部材５ｂを接着固定してもよい。
【００５３】
さらに、マットレス本体５には第１の実施の形態と同様第１乃至第３の収容部６〜８が上部シート部材５ｂだけを切り欠いて形成されている。そして、各収容部６〜８には上記上部シート部材５ｂよりも柔らかな弾性材料によって形成された第１乃至第３のパッド１１〜１３が収容されている。
【００５４】
このような構成によれば、マットレス本体５をベース部材５ａと上部シート部材５ｂの二層構造とし、上部シート部材５ｂをベース部材５ａよりも柔らかな弾性材料によって形成したから、上部シート部材５ｂによって利用者に柔らかな感触を与えながら、ベース部材５ａによって利用者を確実に支持する硬さを得ることができる。
【００５５】
しかも、上部シート部材５ｂがベース部材５ａよりも柔らかく、第１乃至第３のパッド１１〜１３が上部シート部材５ｂよりも柔らかい。そのため、ベース部材５ａを硬くしても、上部シート部材５ｂによってベース部材５ａの硬さと第１乃至第３のパッド１１〜１３の柔らかさの差を小さくし、利用者に急激な硬さの差を感じさせるのを防止することができる。
【００５６】
図９（ａ）、（ｂ）はこの発明の第４の実施の形態を示す第１乃至第３のパッド１１〜１３の変形例である。すなわち、第１の実施の形態では第１乃至第３のパッド１１〜１３に通気性を持たせるために通気孔１１ｂ〜１３ｂを厚さ方向に穿設したが、この実施の形態では各パッド１１〜１３の上面に開放する通気溝１１ｃ〜１３ｃを所定の深さで形成した。
【００５７】
このような構成であっても、第１の実施の形態と同様、第１乃至第３のパッド１１〜１３に通気性をもたせることができる。
【００５８】
なお、第１の実施の形態に示した通気孔及び第４の実施の形態に示した通気溝を第２の実施の形態に示したパッドに適用してもよい。
【００５９】
上記各実施の形態ではマットレス本体を発泡ウレタンなどの弾性材料で形成する場合について説明したが、弾性材料としては発泡ウレタンに代わり、熱可塑性弾性樹脂と熱可塑性非弾性樹脂が複合化された連続複合線状体を曲がりくねらせ互いに接触させ、その接触部分に大部分を溶着した三次元立体網状構造体を用いるようにしてもよい。つまり、マットレス本体を構成する弾性材料は限定されるものでない。
【図面の簡単な説明】
【００６０】
【図１】この発明の第１の実施の形態を示すマットレス装置の外装体の一部を除去した側面図。
【図２】各収容部にパッドが収容されたマットレス本体の平面図。
【図３】各収容部からパッドを除去したマットレス本体の平面図。
【図４】マットレス本体とパッドとの傾斜面の接触部分の拡大図。
【図５】（ａ）は利用者が仰臥したときの図、（ｂ）は利用者が横臥したときの図。
【図６】この発明の第２の実施の形態のマットレス本体の一部を示す平面図。
【図７】図６に示すマットレス本体の縦断面図。
【図８】この発明の第３の実施の形態のマットレス本体の一部を示す縦断面図。
【図９】（ａ）はこの発明の第４の実施の形態のパッドを示す平面図、（ｂ）は同じく側面図。
【符号の説明】
【００６１】
５…マットレス本体、６…第１の収容部、７…第２の収容部、８…第３の収容部、６ａ〜８ａ…第１の傾斜面、１１…第１のパッド、１２…第２のパッド、１３…第３のパッド、１１ａ〜１３ａ…第２の傾斜面、１１ｂ〜１３ｂ…通気孔、１１ｃ〜１３ｃ…通気溝。
【図１】
2010125049.tif 000003
【図２】
2010125049.tif 000004
【図３】
2010125049.tif 000005
【図４】
2010125049.tif 000006
【図５】
2010125049.tif 000007
【図６】
2010125049.tif 000008
【図７】
2010125049.tif 000009
【図８】
2010125049.tif 000010
【図９】
2010125049.tif 000011